Podtech/llm-jp-corpus-v4-ja_patent huggingface dataset:
【手続補正書】
【提出日】平成19年11月14日(2007.11.14)
【手続補正１】
【補正対象書類名】特許請求の範囲
【補正対象項目名】全文
【補正方法】変更
【補正の内容】
【特許請求の範囲】
【請求項１】
ａ）第１の厚さ（ｆｔ）を有する非晶質の結晶性ポリマーの塊を、ｆｔ：ｎｇ比が少なくとも１．２のニップ間隙（ｎｇ）を有する逆回転ロールのニップ間隙に通して、ポリマーを少なくとも１５％の結晶化度まで結晶化させることによって半結晶質ポリマーを生成し、そして前記半結晶質ポリマーを粒状化するか、又は
ｂ）第１の厚さ（ｆｔ）を有する非晶質の結晶性ポリマーの塊を逆回転ロールに通して、第２の厚さ（ｓｔ）（ｆｔ：ｓｔの比は少なくとも１．１である）を有する半結晶化塊を生成し、そして非晶質塊をロールに通した後の半結晶化塊を実質的に圧伸することなく、ポリマー塊を粒状化する
ことを含んでなる結晶化方法。
【請求項２】
前記ポリマーがポリアミドポリマーを含むか、又はテレフタレート反復単位若しくはナフタレート反復単位を含む請求項１に記載の方法。
【請求項３】
前記ポリマーが、１００モル％のポリオール残基に基づき０．０モル％〜３０モル％の、エチレングリコール残基以外の改質剤グリコール残基を含みそして／又は１００モル％の全ポリカルボン酸残基に基づき０．０モル％〜３０モル％の、テレフタル酸残基若しくはテレフタル酸の低級アルキルエステル残基以外の改質用ジカルボン酸残基を含むポリエチレンテレフタレートホモポリマー又はコポリマーを含む請求項１に記載の方法。
【請求項４】
ポリマーの溶融流れをダイに強制的に通して、シート、フィルム若しくはテープを含む非晶質であるが結晶性の造形品を形成し；前記造形品を逆回転ロールに連続的に通して、アスペクト比が少なくとも５の半結晶化造形品を形成し；そして前記半結晶質造形品を粒状化して、粒子を形成することを含む請求項１に記載の方法。
【請求項５】
前記非晶質造形品が１ｍｍ〜８ｍｍの第１の厚さを有し且つｆｔ：ｎｇ比が少なくとも１．３で３以下である請求項１〜４のいずれか１項に記載の方法。
【請求項６】
前記半結晶質ポリマー塊が第２の厚さ（ｓｔ）を有し且つｆｔ：ｓｔ比が少なくとも１．１５で２：１以下である請求項１〜４のいずれか１項に記載の方法。
【請求項７】
ロールニップ間隙に入る際の非晶質ポリマーの温度が、前記非晶質ポリマーのＴｇより少なくとも３０℃高い温度から、前記非晶質ポリマーのＴｍよりも３０℃以下低い温度までの範囲である請求項１〜４のいずれか１項に記載の方法。
【請求項８】
前記ロールを１００℃〜１８０℃の範囲内の温度に加熱する請求項１に記載の方法。
【請求項９】
前記ロールが平滑であり、前記ロールを通る際に非晶質ポリマー塊にテキスチャーを与えない請求項１に記載の方法。
【請求項１０】
前記ポリマー塊が造形品であり、前記半結晶質造形品表面の少なくとも８０％が結晶化される請求項１に記載の方法。
【請求項１１】
逆回転ロールの速度が非晶質ポリマー塊を実質的に伸長しない請求項１に記載の方法。
【請求項１２】
逆回転ロールからの半結晶化ポリマー塊の排出速度がロールへの非晶質ポリマー塊の供給速度より速い請求項１に記載の方法。
【請求項１３】
前記半結晶質ポリマー塊が、逆回転ロールからの排出時に第２の厚さ（ｓｔ）を有し、ロール速度を、ロールへの非晶質ポリマー供給速度（ｖ１）に対する半結晶質ポリマー排出速度（ｖ２）の比が、ｆｔ：ｓｔの比の８０％〜１２０％となるように、設定する請求項１２に記載の方法。
【請求項１４】
前記ポリマー塊がシートを含み、且つ前記シートの幅を、ロール中に供給されるシートの幅の１０％以下しか変化させない請求項１に記載の方法。
【請求項１５】
前記ポリマー塊を、シートをロールに通した後に前記シートを実質的に圧伸することなく、結晶化させる請求項１に記載の方法。
【請求項１６】
前記半結晶質ポリマー塊が、ロール通過後に伸長されたとしても、伸長力を生じる張力の不存在下でポリマー塊の長さの０．２５倍未満しか伸長されない請求項１５に記載の方法。
【請求項１７】
前記半結晶化シートが少なくとも２５％の結晶化度を有する請求項１〜１５のいずれか１項に記載の方法。
【請求項１８】
前記結晶化度が少なくとも４０％である請求項１〜１５のいずれか１項に記載の方法。
【請求項１９】
少なくとも２５％の結晶化度を有する半結晶質ポリマーに非晶質ポリマーを変換する間の滞留時間が１秒又はそれ以下である請求項１に記載の方法。
【請求項２０】
ダイヘッドを通してメルトを押出することを含み、且つダイヘッドを通して非晶質ポリマーのメルトを押出してから粒状化までの転化時間が５秒〜５分の範囲である請求項１に記載の方法。
【請求項２１】
前記半結晶質ポリマー塊を、前記ポリマーのＴｇとＴｍとの間の差の上半分の範囲内の温度において１秒〜３０秒間アニールすることを更に含む請求項１に記載の方法。
【請求項２２】
前記半結晶質ポリマー塊を、１１０℃〜Ｔｍ−１０℃の範囲の温度で、粒状化装置に供給する請求項１に記載の方法。
【請求項２３】
粒状化装置から得られる粒子が実質的に光学的に透明であって、黒色斑点があったとしてもその存在を肉眼のみで目視観察できる請求項１に記載の方法。
【請求項２４】
ポリマーの溶融流れをギアポンプによって強制的にダイに通す請求項１に記載の方法。
【請求項２５】
テレフタレート反復単位及び／又はナフタレート反復単位を含むポリマーの溶融流れを強制的にダイに通して、厚さ１ｍｍ〜８ｍｍの非晶質であるが結晶性のシートを形成し；前記シートを供給速度（ｖ１）で逆回転ロールに通して連続的に導入し；前記シートを排出速度（ｖ２）でロールから排出して、結晶化度が少なくとも２５％の半結晶化シートを形成し；続いて前記シートからペレットを形成することを含み、且つｖ２：ｖ１の比がｆｔ：ｓｔの比の８０％〜１２０％である請求項１に記載の方法。
【請求項２６】
非晶質であるが結晶性のポリマーのシートを圧縮して、ポリマーを少なくとも３０％の結晶化度まで結晶化させることを含んでなるシートの連続結晶化方法。
【請求項２７】
前記ポリマーがテレフタレート反復単位及び／又はナフタレート反復単位を含むポリエステルポリマーを含んでなる請求項２６に記載の方法。
【請求項２８】
非晶質ポリマーシートの厚さｆｔ：結晶化シートの厚さの比が少なくとも１．１５：１で且つ２：１以下である請求項２７に記載の方法。
【請求項２９】
非晶質ポリマーを結晶化度が少なくとも２５％の半結晶質ポリマーに転換する間の滞留時間が１秒又はそれ以下である請求項２７に記載の方法。
【請求項３０】
前記結晶化度が４０％又はそれ以上である請求項２６に記載の方法。
【手続補正書】
【提出日】平成19年12月21日(2007.12.21)
【手続補正１】
【補正対象書類名】特許請求の範囲
【補正対象項目名】全文
【補正方法】変更
【補正の内容】
【特許請求の範囲】
【請求項１】
式Ｉの化合物、またはこれらの薬学的酸付加塩：
【化１】
2007519721.tif 000001
（Ｉ）
［式中、
ｍは、０、１、または２であり、
ｎは、１、２、３、または４であり、
Ｒは、Ｈまたはメチルであり（ただし、ｍが１または２である場合、ＲはＨでなければならず、かつｍが０である場合、Ｒはメチルでなければならないことを条件とする）、
Ｒ1は、Ｈ、ＳＯ2（ｎ−Ｃ4−Ｃ6アルキル）、またはＣＯＲ2であり、
Ｘは、ＯまたはＮＲ3であり、
Ｘ1は、Ｏ、ＣＨ2、またはＣ＝Ｏであり、
Ｒ6は、ＨもしくはＦであるか、またはＲ6は、Ｘ1と結合して以下の式の部分を形成し：
【化２】
2007519721.tif 000002
（式中、Ｙは、Ｏ、Ｓ、ＳＯ、またはＮＲ4である）、
Ｒ2は、任意にハロで置換されたＣ1−Ｃ6アルキル、Ｃ1−Ｃ6アルコキシ、ＮＲ5Ｒ5a、フェノキシ、またはフェニルであり、
Ｒ3およびＲ4は、独立してＨまたはＣ1−Ｃ6アルキルであり、
Ｒ5およびＲ5aは、独立してＨ、Ｃ1−Ｃ6アルキル、またはフェニルである
但し、式Ｉの化合物は式：
【化３】
2007519721.tif 000003
で示される化合物ではない］。
【請求項２】
ｍが１または２であり、Ｒ１がＨであり、Ｒ２がＣ１−Ｃ４アルキル、ＮＨＣＨ3またはフェニルであり、ＸがＯであり、Ｘ１がＯまたはＣＨ２であり、ＹがＯまたはＳである、請求項１記載の化合物。
【請求項３】
ｍが１であり、ｎが１または２であり、Ｒ６がＸ１と結合し、ＹがＳである、請求項１または請求項２記載の化合物。
【請求項４】
ｎが２であり、対応するフルオロ部分が３位および５位である、請求項１〜３のいずれか１項記載の化合物。
【請求項５】
ｎが１であり、対応するフルオロ部分が４位である、請求項１〜３のいずれか１項記載の化合物。
【請求項６】
式：
【化４】
2007519721.tif 000004
で示される化合物またはその薬学的酸付加塩。
【請求項７】
１以上の血管運動性症候の治療における使用のための、請求項１〜６のいずれか１項記載の化合物。
【請求項８】
式ＩＩの化合物、またはこれらの酸付加塩：
【化５】
2007519721.tif 000005
ＩＩ
［式中、
ｍは、０、１、または２であり、
ｎは、１、２、３または４であり、
Ｒは、Ｈまたはメチルであり（ただし、ｍが１または２である場合、ＲはＨでなければならず、かつｍが０である場合、Ｒはメチルでなければならないことを条件とする）、
Ｒ1aは、Ｈ、ＳＯ2ＣＨ3、ＳＯ2（ｎ−Ｃ4−Ｃ6アルキル）、ＣＯＲ2、Ｃ1−Ｃ6アルキルまたはベンジルであり、
Ｘ1は、Ｏ、ＣＨ2、またはＣ＝Ｏであり、
Ｘ2は、ＯまたはＮＲ7であり、
Ｒ6は、ＨもしくはＦであるか、またはＲ6は、Ｘ1と結合して以下の式の部分を形成し：
【化６】
2007519721.tif 000006
（式中、Ｙは、Ｏ、Ｓ、ＳＯ、またはＮＲ4である）、
Ｒ2は、任意にハロで置換されたＣ1−Ｃ6アルキル、Ｃ1−Ｃ6アルコキシ、ＮＲ5Ｒ5a、フェノキシ、またはフェニルであり、
Ｒ4は、ＨまたはＣ1−Ｃ6アルキルであり、
Ｒ5およびＲ5aは、独立してＨ、Ｃ1−Ｃ6アルキル、またはフェニルであり、
Ｒ7は、Ｈ、Ｃ1−Ｃ6アルキルまたはＣＯ2（Ｃ1−Ｃ6アルキル）であり、ただし、Ｒ1aがＨ、ＳＯ2（ｎ−Ｃ4−Ｃ6アルキル）、またはＣＯＲ2である場合、Ｘ2はＮＲ7であり、かつＲ7はＣＯ2（Ｃ1−Ｃ6アルキル）であることを条件とし、
但し、式ＩＩの化合物は式：
【化７】
2007519721.tif 000007
で示される化合物ではない］。
【請求項９】
式：
【化８】
2007519721.tif 000008
で示される化合物である、請求項８記載の化合物またはその酸付加塩。
【請求項１０】
式ＩＩＩの化合物、またはこれらの酸付加塩：
【化９】
2007519721.tif 000009
ＩＩＩ
［式中、
ｍは、０、１、または２であり、
ｎは、１、２、３または４であり、
Ｒは、Ｈまたはメチルであり（ただし、ｍが１または２である場合、ＲはＨでなければならず、かつｍが０である場合、Ｒはメチルでなければならないことを条件とする）、
Ｒ1aは、Ｈ、ＳＯ2ＣＨ3、ＳＯ2（ｎ−Ｃ4−Ｃ6アルキル）、ＣＯＲ2、Ｃ1−Ｃ6アルキル、またはベンジルであり、
Ｒ8はＯＨ、Ｏ（Ｃ1−Ｃ6アルキル）、Ｓ（Ｃ1−Ｃ6アルキル）またはＮＲ4（ＣＯ2（Ｃ1−Ｃ6アルキル））であり、
Ｘ2はＯまたはＮＲ7であり、
Ｚは、Ｃ＝ＯまたはＣＨＯＨであり、
Ｒ2は、任意にハロで置換されたＣ1−Ｃ6アルキル、Ｃ1−Ｃ6アルコキシ、ＮＲ5Ｒ5a、フェノキシ、またはフェニルであり、
Ｒ4は、ＨまたはＣ1−Ｃ6アルキルであり、
Ｒ5およびＲ5aは、独立してＨ、Ｃ1−Ｃ6アルキルまたはフェニルであり、
Ｒ7は、Ｈ、Ｃ1−Ｃ6アルキル、またはＣＯ2（Ｃ1−Ｃ6アルキル）である］。
【請求項１１】
式：
【化１０】
2007519721.tif 000010
で示される化合物からなる群から選択される、請求項１０記載の化合物またはその酸付加塩。
【手続補正書】
【提出日】平成20年2月6日(2008.2.6)
【手続補正１】
【補正対象書類名】明細書
【補正対象項目名】０００７
【補正方法】変更
【補正の内容】
【０００７】
従って、極度に多量の停留濃縮物を冷却することなく蓄積することに関連した安全性問題を多少なりとも解決する濃縮されたクメンヒドロペルオキシドの実用量を蓄積する方法を提供することが望ましい。
この出願の発明に関連する先行技術文献情報としては、以下のものがある（国際出願日以降国際段階で引用された文献及び他国に国内移行した際に引用された文献を含む）。
【特許文献１】米国特許第２，４３２，３６２号明細書
【特許文献２】米国特許第６，２２５，５１３号明細書
【特許文献３】米国特許第６，３０７,１１２号明細書
【特許文献４】独国特許第１０１１１８８９号明細書
【特許文献５】欧州特許第０４５８１４９号明細書
【特許文献６】欧州特許第１３５０７８２号明細書
【非特許文献１】ペリー化学工学ハンドブック第７版（Ｐｅｒｒｙ‘ｓ  Ｃｈｅｍｉｃａｌ  Ｅｎｇｉｎｅｅｒｓ’  Ｈａｎｄｂｏｏｋ  Ｓｅｖｅｎｔｈ  Ｅｄｉｔｉｏｎ），１９９７年，ｐ．１１−４５
【非特許文献２】ペリグリーニ  ローラ（Ｐｅｌｌｅｇｒｉｎｉ，Ｌａｕｒａ）ら，「フェノール−アセトン中におけるリスクシナリオの検証  パートＩＩ：クメンヒドロペルオキシド開裂の分野（Ｉｄｅｎｔｉｆｉｃａｔｉｏｎ  ｏｆ  ｒｉｓｋ  ｓｃｅｎａｒｉｏｓ  ｉｎ  ｔｈｅ  ｐｈｅｎｏｌ−ａｃｅｔｏｎｅ  ｐｒｏｃｅｓｓ．Ｐａｒｔ  ＩＩ：ｔｈｅ  ｃｕｍｅｎｅ  ｈｙｄｒｏｐｅｒｏｘｉｄｅ  ｃｌｅａｖａｇｅ  ｓｅｃｔｉｏｎ）」，化学情報検索サービス機関（Ｃｈｅｍｉｃａｌ  Ａｂｓｔｒａｃｔｓ  Ｓｅｒｖｉｃｅ），ＳＴＮデータベース受け入れ番号２００３：５９２３４７からの検索ＸＰ００２３３２１６６
【非特許文献３】ペリグリーニ  ローラ（Ｐｅｌｌｅｇｒｉｎｉ，Ｌａｕｒａ）ら，「フェノール−アセトン中におけるリスクシナリオの検証  パートＩＩ：クメンヒドロペルオキシド開裂の分野（Ｉｄｅｎｔｉｆｉｃａｔｉｏｎ  ｏｆ  ｒｉｓｋ  ｓｃｅｎａｒｉｏｓ  ｉｎ  ｔｈｅ  ｐｈｅｎｏｌ−ａｃｅｔｏｎｅ  ｐｒｏｃｅｓｓ．Ｐａｒｔ  ＩＩ：ｔｈｅ  ｃｕｍｅｎｅ  ｈｙｄｒｏｐｅｒｏｘｉｄｅ  ｃｌｅａｖａｇｅ  ｓｅｃｔｉｏｎ）」，化学情報検索サービス機関（Ｃｈｅｍｉｃａｌ  Ａｂｓｔｒａｃｔｓ  Ｓｅｒｖｉｃｅ），ＳＴＮデータベース受け入れ番号２００３：５７３１０５からの検索ＸＰ００２３３２１６７
【非特許文献４】米国化学工学会「春季国際会議」（Ａｍｅｒｉｃａｎ  Ｉｎｓｔｉｔｕｔｅ  ｏｆ  Ｃｈｅｍｉｃａｌ  Ｅｎｇｉｎｅｅｒｓ，"Ｓｐｒｉｎｇ  Ｎａｔｉｏｎａｌ  Ｍｅｅｔｉｎｇ"），米国カリフォルニア州，２００３年３月３日〜４月３日，ｐ．２３２９−２３４０
【手続補正書】
【提出日】平成19年11月27日(2007.11.27)
【手続補正１】
【補正対象書類名】特許請求の範囲
【補正対象項目名】全文
【補正方法】変更
【補正の内容】
【特許請求の範囲】
【請求項１】
（Ａ）式（１）：
【化１】
2007519769.tif 000001
（式中、
Ｒ１、Ｒ２、Ｒ３及びＲ４は、互いに独立に、水素、Ｃ１〜Ｃ１２アルキル、Ｃ５〜Ｃ２４アリール又はＣ６〜Ｃ３６アラルキルを表し、Ｙは、エチレン又はプロピレンを表し、ｎは、４〜５０の数であり、Ｘは、水素、Ｃ１〜Ｃ１２アルキル、無機酸素含有酸の酸ラジカル又は有機酸のラジカルを表す）
で示される化合物７５〜９５重量％、並びに
（Ｂ）芳香族スルホン酸とホルムアルデヒドとから製造されるホルムアルデヒド縮合生成物５〜２５重量％
を含み、成分（Ａ）＋（Ｂ）の合計量は、１００重量％である組成物。
【請求項２】
成分（Ａ）として、エチレンオキシド１２〜１８モルと、スチレン１〜３モル及びフェノール１モルの付加物との重付加物のモノエステル及びジエステルホスフェートの混合物のエタノールアミン、ジエタノールアミン、トリエタノールアミン、アンモニウム、カリウムもしくはナトリウム塩を含有する、請求項１記載の組成物。
【請求項３】
成分（Ｂ）として、ホルムアルデヒドとスルホン化ジトリルエーテルとの縮合生成物又はホルムアルデヒドとスルホン化ジ−（２−ナフチル）メタンとの縮合生成物を含有する、請求項１記載の組成物。
【請求項４】
加えて、
（Ｃ）アルキレンオキシド２〜８０モルと、炭素原子８〜２２の飽和もしくは不飽和モノアルコール、脂肪酸、脂肪アミン又は脂肪アミドとの重付加物０．１〜１０重量％；
を含有し、成分（Ａ）＋（Ｂ）＋（Ｃ）の合計量が、１００重量％である、請求項１記載の組成物。
【請求項５】
成分（Ａ）７６〜８４重量％、成分（Ｂ）１４〜２２重量％及び成分（Ｃ）２〜６重量％を含有する、請求項４記載の組成物。
【請求項６】
組成物合計に基づいて、ベンゾトリアゾール、フェニルトリアジン及びベンゾフェノンから選ばれるＵＶ吸収剤５〜４０重量％並びに組成物合計に基づいて、請求項１記載の組成物５〜３０重量％を含有する水性分散液。
【請求項７】
織物材料を請求項６記載の水性分散液の存在において染色することを含む、織物材料を染色する方法。
【請求項８】
静的染色プロセスにおける差圧を、分散染料及び請求項６記載の水性分散液を使用することによって減少させる方法。
【手続補正書】
【提出日】平成20年1月28日(2008.1.28)
【手続補正１】
【補正対象書類名】特許請求の範囲
【補正対象項目名】全文
【補正方法】変更
【補正の内容】
【特許請求の範囲】
【請求項１】
少なくとも1種類のヘパラン硫酸プロテオグリカン分解酵素、少なくとも1種類の他のGAG分解酵素、および薬学的に許容される担体を含む、薬学的組成物。
【請求項２】
少なくとも1種類の他のGAG分解酵素が、少なくとも1種類のコンドロイチン硫酸プロテオグリカン分解酵素および／または少なくとも1種類のケラタン硫酸プロテオグリカン分解酵素である、請求項1記載の薬学的組成物。
【請求項３】
ヘパリン硫酸プロテオグリカン分解酵素が、ヘパリナーゼI、ヘパリナーゼIII、ヘパラナーゼ、およびマトリックスメタロプロテイナーゼからなる群より選択される、請求項１または２記載の薬学的組成物。
【請求項４】
酵素がヘパリナーゼIまたはヘパリナーゼIIIである、請求項３記載の薬学的組成物。
【請求項５】
コンドロイチン硫酸プロテオグリカン分解酵素が、コンドロイチナーゼABC、コンドロイチナーゼA、コンドロイチナーゼC、およびコンドロイチナーゼACからなる群より選択される、請求項２記載の薬学的組成物。
【請求項６】
ケラチン硫酸プロテオグリカン分解酵素がケラタナーゼまたはエンド-b-ガラクトシダーゼである、請求項２記載の薬学的組成物。
【請求項７】
損傷神経の再生を促進するための、請求項１〜６いずれか一項記載の薬学的組成物。
【請求項８】
組織接着剤をさらに含む、請求項７記載の薬学的組成物。
【請求項９】
生物学的に活性な薬剤をさらに含む、請求項７記載の薬学的組成物。
【請求項１０】
生物学的に活性な薬剤が成長因子である、請求項９記載の薬学的組成物。
【請求項１１】
細胞をさらに含む、請求項７記載の薬学的組成物。
【請求項１２】
細胞が幹細胞またはシュワン細胞である、請求項１１記載の薬学的組成物。
【請求項１３】
損傷神経が損傷末梢神経または損傷中枢神経である、請求項７記載の薬学的組成物。
【請求項１４】
損傷神経がヒトである、請求項７記載の薬学的組成物。
【請求項１５】
神経移植片に少なくとも1種類のヘパリン硫酸プロテオグリカン分解酵素を適用する工程、および神経移植片に少なくとも1種類の他のGAG分解酵素を投与する工程を含む、移植用神経移植片を調製する方法。
【請求項１６】
少なくとも1種類の他のGAG分解酵素が、少なくとも1種類のコンドロイチン硫酸プロテオグリカン分解酵素および／または少なくとも1種類のケラタン硫酸プロテオグリカン分解酵素である、請求項15記載の方法。
【請求項１７】
ヘパリナーゼI、ヘパリナーゼIII、ヘパラナーゼ、およびマトリックスメタロプロテイナーゼからなる群より選択されるヘパラン硫酸プロテオグリカン分解酵素を投与する工程を含む、請求項１５または１６記載の方法。
【請求項１８】
酵素がヘパリナーゼIまたはヘパリナーゼIIIである、請求項１７記載の方法。
【請求項１９】
コンドロイチン硫酸プロテオグリカン分解酵素が、コンドロイチナーゼABC、コンドロイチナーゼA、コンドロイチナーゼC、およびコンドロイチナーゼACからなる群より選択される、請求項１６記載の方法。
【請求項２０】
ケラチン硫酸プロテオグリカン分解酵素がケラタナーゼまたはエンド-b-ガラクトシダーゼである、請求項１６記載の方法。
【請求項２１】
神経移植片が損傷神経の再生を促進するのに用いられる、請求項１５〜２０いずれか一項記載の方法。
【請求項２２】
神経移植片に組織接着剤を適用する工程をさらに含む、請求項２1記載の方法。
【請求項２３】
神経移植片に生物学的に活性な薬剤を適用する工程をさらに含む、請求項２1記載の方法。
【請求項２４】
生物学的に活性な薬剤が成長因子である、請求項２３記載の方法。
【請求項２５】
細胞を適用する工程をさらに含む、請求項２１記載の方法。
【請求項２６】
細胞が幹細胞またはシュワン細胞である、請求項２５記載の方法。
【請求項２７】
損傷神経が損傷末梢神経または損傷中枢神経である、請求項２１記載の方法。
【請求項２８】
損傷神経がヒトである、請求項２１記載の方法。
【請求項２９】
請求項１５〜２８のいずれかに記載の方法によって調製された、移植用神経移植片。
【手続補正書】
【提出日】平成19年12月28日(2007.12.28)
【手続補正１】
【補正対象書類名】特許請求の範囲
【補正対象項目名】全文
【補正方法】変更
【補正の内容】
【特許請求の範囲】
【請求項１】
有機変性シリカ（ｏｒｍｏｓｉｌ）エアロゲル組成物であって、前記エアロゾルのシリケートネットワーク内に結合されているアクリレート系オリゴマーを含む組成物。
【請求項２】
前記組成物が、前記シリケートネットワーク中のケイ素原子と前記オリゴマーの炭素原子との間のＳｉ−Ｃ結合を含む、請求項１に記載の組成物。
【請求項３】
前記オリゴマーが、ポリアクリレート、ポリアルキルアクリレート、ポリメタクリレート、ポリメチルメタクリレート、ポリブチルメタクリレート、ポリエチルメタクリレート、ポリプロピルメタクリレート、ポリ（２−ヒドロキシエチルメタクリレート）、ポリ（２−ヒドロキシプロピルメタクリレート）、ポリ（ヘキサフルオロブチルメタクリレート）、ポリ（ヘキサフルオロイソプロピルメタクリレート）またはそれらの組み合わせから選択される、請求項１または２に記載の組成物。
【請求項４】
前記オリゴマーが、１〜９５％ｗ／ｗまたは５〜８５％ｗ／ｗで存在する、請求項１〜３のいずれか一項に記載の組成物。
【請求項５】
前記シリカと前記オリゴマーとの間に複数の結合を生成させるために、架橋剤をさらに含む、請求項１〜４のいずれか一項に記載の組成物。
【請求項６】
前記架橋剤が、前記シリケートネットワークと前記オリゴマーとの結合前に、次式：
（Ｒ1−Ｏ）3Ｓｉ−Ｒ2
（式中、
Ｒ1−Ｏは、前記架橋剤と前記シリケートネットワークとの間に共有結合を生成させるための、前記架橋剤から開列されうる一般的な加水分解性基であり、
Ｒ2は、アクリレートと共有結合を生成させる基（例えば、アクリレートモノマーのビニル部）である）
で表される、請求項５に記載の組成物。
【請求項７】
前記架橋剤が、トリメトキシシリルプロピルメタクリレート（ＴＭＳＰＭ）およびトリメトキシシリルプロピルアクリレートから選択される、請求項６に記載の組成物。
【請求項８】
前記架橋剤が、アルコキシシリルアクリレート、好ましくは、トリメトキシシリルプロピルメタクリレート（ＴＭＳＰＭ）またはトリメトキシシリルプロピルアクリレートを、溶媒中、高温でアクリレートモノマーと反応させることにより調製され、ここで、前記アクリレートモノマーが、随意選択的に、メチルメタクリレート、ブチルメタクリレート、エチルメタクリレート、プロピルメタクリレート、２−ヒドロキシエチルメタクリレート、２−ヒドロキシプロピルメタクリレート、ヘキサフルオロブチルメタクリレート、およびヘキサフルオロイソプロピルメタクリレートから選択される、請求項６に記載の組成物。
【請求項９】
溶媒が、メタノール、エタノール、イソプロパノール、テトラヒドロフラン、またはそれらの組み合わせから選択される、請求項７または８に記載の組成物。
【請求項１０】
高速反応を可能にするため、メタクリレートモノマー反応体の濃度が５０％ｗ／ｗ超であり、そして／または反応温度が、６０〜９０℃または７０〜８０℃である、請求項８または９に記載の組成物。
【請求項１１】
ビーズまたは粒子の形状である、請求項１〜１０のいずれか一項に記載の組成物。
【請求項１２】
アクリレート系オリゴマーを準備する段階；
アルコキシルシリルアルキル含有基を前記オリゴマーと反応させて、反応体を生成させる段階；
前記反応体を、溶媒中で、周囲以上の温度において、シリカ前駆体と混合し、混合物を生成させる段階；そして
前記混合物を乾燥させ、エアロゲル組成物を生成させる段階：
を含む、前記エアロゲル組成物の製造方法。
【請求項１３】
メタノール、エタノール、イソプロパノール、テトラヒドロフラン、またはそれらの組み合わせから選択される溶媒をさらに含む、請求項１２に記載の方法。
【請求項１４】
前記シリカ前駆体が、アルコキシシラン、部分的に加水分解されたアルコキシシラン、テトラエトキシルシラン、部分的に加水分解されたテトラエトキシルシランの縮合ポリマー、テトラメトキシルシラン、部分的に加水分解されたテトラメトキシルシランの縮合ポリマー、テトラ−ｎ−プロポキシシラン、部分的に加水分解されたテトラ−ｎ−プロポキシシランの縮合ポリマー、またはそれらの組み合わせより選択される、請求項１２または１３に記載の方法。
【請求項１５】
反応温度が、１０〜９０℃、１０〜３０℃または７０〜８０℃の範囲にある、請求項１２〜１４のいずれか一項に記載の方法。
【請求項１６】
前記エアロゲル組成物が、下記；
０．０１〜０．３５ｇ／ｃｍ3の密度；
１気圧および周囲温度において、２０ｍＷ／ｍ・Ｋ未満の熱伝導率；並びに／または
２ｐｓｉ超の曲げ強度；
を有する、請求項１２〜１５のいずれか一項に記載の方法。
【請求項１７】
前記エアロゲル複合体が、下記；
４０００ｐｓｉの圧縮の後に、最大９４．５％のひずみ回復；または
少なくとも１００ｐｓｉの動的圧縮荷重を受けた後に、少なくとも１０％のひずみ回復率と共に０．３ｇ／ｃｍ3未満の密度：
を有する、請求項１４に記載の方法。
【請求項１８】
１７．５ｐｓｉの荷重下で、約１０％以下の低圧縮変形率を有する繊維強化エアロゲル複合体を含む、冷容積密閉容器用の真空断熱パネル（ＶＩＰ）または断熱材。
【請求項１９】
請求項１８に記載の繊維強化エアロゲル複合体。
【手続補正書】
【提出日】平成20年1月15日(2008.1.15)
【手続補正１】
【補正対象書類名】特許請求の範囲
【補正対象項目名】全文
【補正方法】変更
【補正の内容】
【特許請求の範囲】
【請求項１】
ＨＩＶ媒介性障害を処置するための組成物であって、該組成物は、以下の式（Ｉ）：
【化１】
2007519743.tif 000001
を有する化合物の有効量を含有し、ここで、
Ｒ１およびＲ２は、それらが結合する炭素と一緒になって、Ｃ５〜Ｃ１０シクロアルキル、Ｃ５〜Ｃ１０ヘテロシクリル、Ｃ５〜Ｃ１０シクロアルケニル、Ｃ５〜Ｃ１０ヘテロシクロアルケニル、Ｃ６〜Ｃ１０アリール、またはＣ６〜Ｃ１０ヘテロアリールを形成し、これらの各々が必要に応じて１〜５個のＲ５で置換され得るか；あるいはＲ１はＨ、Ｓ−アルキルまたはＳ−アリールであり、そしてＲ２はアミドアルキルであり、ここで、該アミドアルキルの窒素がアルキル、アリールまたはアリールアルキルで置換され、その各々が必要に応じて、アルキル、ハロ、ヒドロキシまたはアルコキシでさらに置換され；
Ｒ３およびＲ４は、それらが結合する炭素と一緒になって、Ｃ５〜Ｃ１０シクロアルキル、Ｃ５〜Ｃ１０ヘテロシクリル、Ｃ５〜Ｃ１０シクロアルケニル、Ｃ５〜Ｃ１０ヘテロシクロアルケニル、Ｃ６〜Ｃ１０アリール、またはＣ６〜Ｃ１０ヘテロアリールを形成し、これらの各々が必要に応じて１〜５個のＲ６で置換され；
各々のＲ５およびＲ６は、独立して、ハロ、ヒドロキシ、Ｃ１〜Ｃ１０アルキル、Ｃ１〜Ｃ６ハロアルキル、Ｃ１〜Ｃ１０アルコキシ、Ｃ１〜Ｃ６ハロアルコキシ、Ｃ６〜Ｃ１０アリール、Ｃ５〜Ｃ１０ヘテロアリール、Ｃ７〜Ｃ１２アラルキル、Ｃ７〜Ｃ１２ヘテロアラルキル、Ｃ３〜Ｃ８ヘテロシクリル、Ｃ２〜Ｃ１２アルケニル、Ｃ２〜Ｃ１２アルキニル、Ｃ５〜Ｃ１０シクロアルケニル、Ｃ５〜Ｃ１０ヘテロシクロアルケニル、カルボキシ、カルボキシレート、シアノ、ニトロ、アミノ、Ｃ１〜Ｃ６アルキルアミノ、Ｃ１〜Ｃ６ジアルキルアミノ、メルカプト、ＳＯ３Ｈ、スルフェート、Ｓ（Ｏ）ＮＨ２、Ｓ（Ｏ）２ＮＨ２、ホスフェート、Ｃ１〜Ｃ４アルキレンジオキシ、オキソ、アシル、アミノカルボニル、Ｃ１〜Ｃ６アルキルアミノカルボニル、Ｃ１〜Ｃ６ジアルキルアミノカルボニル、Ｃ１〜Ｃ１０アルコキシカルボニル、Ｃ１〜Ｃ１０チオアルコキシカルボニル、ヒドラジノカルボニル、Ｃ１〜Ｃ６アルキルヒドラジノカルボニル、Ｃ１〜Ｃ６ジアルキルヒドラジノカルボニル、ヒドロキシアミノカルボニル；アルコキシアミノカルボニル；あるいはＲ５またはＲ６のうちの１つとＲ７とが、４〜６個の炭素、１〜３個の窒素、０〜２個の酸素および０〜２個の硫黄を含む環部分を形成し、これらは必要に応じてオキソまたはＣ１〜Ｃ６アルキルで置換され；
ＸはＮＲ７、ＯまたはＳであり；ＹはＮＲ７’、ＯまたはＳであり；
【化２】
2007519743.tif 000002
は任意の二重結合を表し；
各々のＲ７およびＲ７’は、独立して、水素、Ｃ１〜Ｃ６アルキル、Ｃ７〜Ｃ１２アリールアルキル、Ｃ７〜Ｃ１２ヘテロアリールアルキルであるか；あるいは、Ｒ７とＲ５またはＲ６のうちの１つとが、４〜６個の炭素、１〜３個の窒素、０〜２個の酸素および０〜２個の硫黄を含む環部分を形成し、これらは必要に応じてオキソまたはＣ１〜Ｃ６アルキルで置換され；そして
ｎは０または１である、
組成物。
【請求項２】
請求項１に記載の組成物であって、ここで、Ｒ１およびＲ２は、それらが結合する炭素と一緒になって、Ｃ５〜Ｃ１０シクロアルキル、Ｃ５〜Ｃ１０ヘテロシクリル、Ｃ５〜Ｃ１０シクロアルケニル、Ｃ５〜Ｃ１０ヘテロシクロアルケニル、Ｃ６〜Ｃ１０アリールまたはＣ６〜Ｃ１０ヘテロアリールを形成し、これらの各々は、必要に応じて、１〜５個のＲ５で置換される、組成物。
【請求項３】
Ｒ１およびＲ２は、それらが結合する炭素と一緒になって、Ｃ５〜Ｃ１０シクロアルケニルを形成する、請求項１に記載の組成物。
【請求項４】
Ｒ１およびＲ２がＲ５で置換される、請求項３に記載の組成物。
【請求項５】
Ｒ５が、１個の置換基で置換されたＣ１〜Ｃ６アルキル、または１個の置換基で置換されたアミノカルボニルである、請求項４に記載の組成物。
【請求項６】
前記置換基が、アミノ置換基またはアミノカルボニルである、請求項５に記載の組成物。
【請求項７】
Ｒ３およびＲ４は、それらが結合する炭素と一緒になって、Ｃ６〜Ｃ１０アリールを形成する、請求項１に記載の組成物。
【請求項８】
Ｒ３およびＲ４はＲ６で置換される、請求項５に記載の組成物。
【請求項９】
Ｒ６は、ハロまたはＣ１〜Ｃ６アルキルである、請求項６に記載の組成物。
【請求項１０】
ｎは０である、請求項１に記載の組成物。
【請求項１１】
ＸはＮＲ７である、請求項１に記載の組成物。
【請求項１２】
ｎは０であり、そしてＸはＮＲ７である、請求項１に記載の組成物。
【請求項１３】
以下の式（Ｘ）：
【化３】
2007519743.tif 000003
を有する、請求項１に記載の組成物。
【請求項１４】
Ｒ６は、ハロまたはＣ１〜Ｃ６アルキルである、請求項１３に記載の組成物。
【請求項１５】
Ｒ５はアミノカルボニルである、請求項１３に記載の組成物。
【請求項１６】
以下の式（ＸＩ）：
【化４】
2007519743.tif 000004
を有する、請求項１３に記載の組成物。
【請求項１７】
Ｒ６は、ハロまたはアルキルである、請求項１６に記載の組成物。
【請求項１８】
Ｒ５はアミノカルボニルである、請求項１６に記載の組成物。
【請求項１９】
Ｒ６はハロまたはアルキルであり、そしてＲ５はアミノカルボニルである、請求項１６に記載の組成物。
【請求項２０】
前記化合物は、６−クロロ−２，３，４，９−テトラヒドロ−１Ｈ−カルバゾール−１−カルボン酸アミドである、請求項１３に記載の組成物。
【請求項２１】
前記化合物は、旋光度−１４．１（ｃ＝０．３３  ＤＣＭ）を有する、６０％より大きい鏡像異性体過剰率の鏡像異性体を含む、請求項２０に記載の組成物。
【請求項２２】
前記化合物は、旋光度−１４．１（ｃ＝０．３３  ＤＣＭ）を有する、９０％より大きい鏡像異性体過剰率の鏡像異性体を含む、請求項２１に記載の組成物。
【請求項２３】
前記化合物は、非ＳｉｒＴ１サーチュインに対して優先的にＳｉｒＴ１を阻害する、請求項１に記載の組成物。
【請求項２４】
前記化合物は、ＳｉｒＴ１に対して少なくとも５倍の優先度を有する、請求項１に記載の組成物。
【請求項２５】
前記化合物は、ＳｉｒＴ１に対して、約１μＭ未満のＫｉを有する、請求項１に記載の組成物。
【手続補正書】
【提出日】平成20年1月25日(2008.1.25)
【手続補正１】
【補正対象書類名】特許請求の範囲
【補正対象項目名】全文
【補正方法】変更
【補正の内容】
【特許請求の範囲】
【請求項１】
薬学的組成物であって、
（ａ）有効量のピペラシリンもしくはその薬学的に受容可能な塩、
（ｂ）有効量のタゾバクタムもしくはその薬学的に受容可能な塩
を含み、
ガラクトマンナンもその薬学的に受容可能な塩も実質的には含まない、
薬学的組成物。
【請求項２】
請求項１に記載の薬学的組成物であって、前記ピペラシリンは、ピペラシリンナトリウムである、薬学的組成物。
【請求項３】
請求項１または請求項２に記載の薬学的組成物であって、前記タゾバクタムは、タゾバクタムナトリウムである、薬学的組成物。
【請求項４】
請求項１〜請求項３のうちのいずれか１項に記載の薬学的組成物であって、該組成物は、凍結乾燥粉末である、薬学的組成物。
【請求項５】
哺乳動物における細菌感染の処置または制御のための、請求項１に記載の薬学的組成物。
【請求項６】
ガラクトマンナンを実質的には含まない凍結乾燥薬学的組成物を調製するためのプロセスであって、該プロセスは、
ａ）ピペラシリンおよびタゾバクタムを水性溶媒中に溶解して溶液を形成し、そのｐＨを約６．５に調整する工程；
ｂ）該溶液をカットオフフィルタに通して濾過する工程；
ｃ）濾液を収集する工程；
ｄ）該濾液を、凍結乾燥機中にて−３５℃未満の温度まで冷却する工程；
ｅ）該凍結乾燥機を圧力約３００μＭ  Ｈｇ（水銀μｍ）（４０パスカル）まで排気し、該凍結乾燥機を約＋５℃まで加熱する工程；
ｆ）該温度および圧力を、該水性溶媒から水を除去するために充分な時間維持して、凍結乾燥固体を形成する工程；
ｇ）該凍結乾燥固体を、約＋４５℃にて乾燥する工程；
を包含する、プロセス。
【請求項７】
請求項６に記載の薬学的組成物であって、前記カットオフフィルタは、約３ｋＤ分子量〜約１０ｋＤ分子量である、薬学的組成物。
【請求項８】
請求項６に記載の薬学的組成物であって、前記カットオフフィルタは、約３ｋＤ分子量である、薬学的組成物。
【請求項９】
請求項６に記載の薬学的組成物であって、前記カットオフフィルタは、約５ｋＤ分子量である、薬学的組成物。
【請求項１０】
請求項６に記載の薬学的組成物であって、前記収集された濾液の実験サンプルの指標は０．５未満である、薬学的組成物。
【請求項１１】
哺乳動物に投与する前に適合性再構成希釈剤を添加することによって再構成され得る粉末形態の薬学的組成物、または融解された場合に哺乳動物に投与する前に適合性希釈剤で希釈され得る凍結組成物の形態の薬学的組成物を製造するためのプロセスであって、該プロセスは、
ガラクトマンナンを実質的には含まない溶液を凍結または凍結乾燥する工程であって、該溶液は、（ａ）有効量のピペラシリンもしくはその薬学的に受容可能な塩、（ｂ）有効量のタゾバクタムもしくはその薬学的に受容可能な塩を水性ビヒクル中に含む、工程；
を包含する、プロセス。
【請求項１２】
薬学的組成物であって、
有効量のピペラシリンもしくはその薬学的に受容可能な塩、
を含み、
ガラクトマンナンもその薬学的に受容可能な塩も実質的には含まない、
薬学的組成物。
【請求項１３】
請求項１２に記載の薬学的組成物であって、前記ピペラシリンは、ピペラシリンナトリウムである、薬学的組成物。
【手続補正書】
【提出日】平成20年1月17日(2008.1.17)
【手続補正１】
【補正対象書類名】特許請求の範囲
【補正対象項目名】全文
【補正方法】変更
【補正の内容】
【特許請求の範囲】
【請求項１】
非ペプチド有機骨格に結合する複数の非環式イソフタル酸基を含む増殖因子結合化合物。
【請求項２】
非環式イソフタル酸基のそれぞれが酸性基または疎水性基で官能性を与えられる、請求項1記載の増殖因子結合化合物。
【請求項３】
非ペプチド有機骨格がカリックスアレーン（calixarene）である、請求項1記載の増殖因子結合化合物。
【請求項４】
非ペプチド有機骨格がカリックス[4]アレーンである、請求項1記載の増殖因子結合化合物。
【請求項５】
複数のイソフタル酸基が以下の構造(I)に記載されている非ペプチド有機骨格に結合する、請求項1記載の増殖因子結合化合物：
2007519748.tif 000001
ここで、各R1は以下からなる群より独立に選択され、
2007519748.tif 000002
各R2は以下からなる群より独立に選択される：
2007519748.tif 000003
2007519748.tif 000004
。
【請求項６】
GFB201、GFB202、GFB203、GFB204、GFB205、GFB206、GFB207、GFB208、GFB209、GFB210、GFB211、GFB212、GFB213、GFB214、GFB215、GFB216、GFB217、GFB218、およびGFB219からなる群より選択される、請求項1記載の増殖因子結合化合物。
【請求項７】
血小板由来増殖因子、血管内皮増殖因子、または前記の任意の混合物を標的とする、請求項1記載の増殖因子結合化合物。
【請求項８】
1つまたは複数の増殖因子結合化合物または任意の増殖因子結合化合物の薬学的に許容される塩、および薬学的に許容される担体を含み、増殖因子結合化合物が非ペプチド有機骨格に結合する複数の非環式イソフタル酸基を含む、薬学的組成物。
【請求項９】
非環式イソフタル酸基のそれぞれが酸性基または疎水性基で官能性を与えられる、請求項8記載の薬学的組成物。
【請求項１０】
非ペプチド有機骨格がカリックスアレーンである、請求項8記載の薬学的組成物。
【請求項１１】
非ペプチド有機骨格がカリックス[4]アレーンである、請求項8記載の薬学的組成物。
【請求項１２】
複数のイソフタル酸基が以下の構造(I)に記載される非ペプチド有機骨格に結合する、請求項8記載の薬学的組成物：
2007519748.tif 000005
ここで、各R1は以下からなる群より独立に選択され、
2007519748.tif 000006
各R2は以下からなる群より独立に選択される：
2007519748.tif 000007
2007519748.tif 000008
。
【請求項１３】
増殖因子結合化合物が、GFB201、GFB202、GFB203、GFB204、GFB205、GFB206、GFB207、GFB208、GFB209、GFB210、GFB211、GFB212、GFB213、GFB214、GFB215、GFB216、GFB217、GFB218、およびGFB219からなる群より選択される、請求項8記載の薬学的組成物。
【請求項１４】
増殖因子結合化合物のそれぞれが、血小板由来増殖因子、血管内皮増殖因子、または前記の任意の混合物を標的とする、請求項8記載の薬学的組成物。
【請求項１５】
生理活性物質をさらに含む、請求項8記載の薬学的組成物。
【請求項１６】
増殖因子の細胞への結合を阻害するため、増殖因子により刺激されるリン酸化を阻害するため、血管新生を阻害するため、癌および腫瘍増殖を阻害するため、またはそれらの組合せのための薬剤として使用される、請求項1〜7のいずれか一項に記載の増殖因子結合化合物。
【請求項１７】
過剰な細胞増殖、過剰な血管新生、腫瘍、および前記の任意の組合せからなる群より選択される疾患を有する患者を治療するための薬剤として使用される、請求項8〜15のいずれか一項に記載の薬学的組成物。
【手続補正書】
【提出日】平成20年1月28日(2008.1.28)
【手続補正１】
【補正対象書類名】特許請求の範囲
【補正対象項目名】全文
【補正方法】変更
【補正の内容】
【特許請求の範囲】
【請求項１】
以下の化学式：
【化１】
2007519750.tif 000001
の単量体ユニットｎ個から構成されたＡタイプのプロシアニジンオリゴマー、
または薬剤的に許容されるその塩または誘導体を有してなる、ＮＯ反応性疾病または疾患を治療または予防するための薬剤であって、
ここで、
(i)  前記単量体ユニットは、フラバン間の結合４→６および／または４→８により連結されており、
(ii)  前記単量体ユニットの少なくとも２つが、Ａタイプのフラバン間の結合（４→８；２→Ｏ→７）または（４→６；２→Ｏ→７）によりさらに連結されており、
(iii)  ｎは２から１２であることを特徴とする薬剤。
【請求項２】
前記ＮＯ反応性疾病または疾患が、高血圧症、心疾患、冠動脈疾患、血管循環障害および／または腎臓病であることを特徴とする請求項１記載の薬剤。
【請求項３】
心臓発作、脳梗塞、鬱血性心不全および／または腎不全のリスクがある検体を治療するための請求項１記載の薬剤。
【請求項４】
糖尿病、肥満症、高コレステロールレベルおよび／または喫煙のうちのいずれかと組み合わせて高血圧を患っている検体を治療するための請求項１記載の薬剤。
【請求項５】
以下の化学式：
【化２】
2007519750.tif 000002
の単量体ユニットｎ個から構成されたＡタイプのプロシアニジンオリゴマー、
または薬剤的に許容されるその塩または誘導体を有してなる、高血圧症を治療するための薬剤であって、
ここで、
(i)  前記単量体ユニットは、フラバン間の結合４→６および／または４→８により連結されており、
(ii)  前記単量体ユニットの少なくとも２つが、Ａタイプのフラバン間の結合（４→８；２→Ｏ→７）または（４→６；２→Ｏ→７）によりさらに連結されており、
(iii)  ｎは２から１２であることを特徴とする薬剤。
【請求項６】
糖尿病、肥満症、高コレステロールレベルおよび／または喫煙のいずれかを患っている検体を治療するための請求項５記載の薬剤。
【請求項７】
前記Ａタイプのプロシアニジンが単離され精製されていることを特徴とする請求項１から６いずれか１項記載の薬剤。
【請求項８】
前記ＡタイプのプロシアニジンがＡ１ダイマーであることを特徴とする請求項１から７いずれか１項記載の薬剤。
【請求項９】
前記ＡタイプのプロシアニジンがＡ２ダイマーであることを特徴とする請求項１から７いずれか１項記載の薬剤。
【請求項１０】
前記ＡタイプのプロシアニジンがＡタイプのトリマーであることを特徴とする請求項１から７いずれか１項記載の薬剤。
【請求項１１】
前記Ａタイプのトリマーが実質的に純粋であることを特徴とする請求項１０記載の薬剤。
【請求項１２】
前記Ａタイプのトリマーが化学式：
【化３】
2007519750.tif 000003
を有していることを特徴とする請求項１０または１１記載の薬剤。
【請求項１３】
単離され精製されたＡ１ダイマーを含む薬剤組成物。
【請求項１４】
単離され精製されたＡ２ダイマーを含む薬剤組成物。
【手続補正書】
【提出日】平成19年12月20日(2007.12.20)
【手続補正１】
【補正対象書類名】特許請求の範囲
【補正対象項目名】全文
【補正方法】変更
【補正の内容】
【特許請求の範囲】
【請求項１】
麻酔回復の質の改善が必要な非ヒト動物に、式Ｉ又はＩａ：
【化１】
2007519701.tif 000001
（式中、Ｒ2はメチル、エチル、イソプロピル、sec−ブチル及びtert−ブチルからなる群から選択される）の化合物、又はその製薬上許容される塩の治療有効量を投与することを含む、過度の発声、無目的な動き及び運動失調又はそれらの組合せを減少させることによる麻酔回復の質の改善方法。
【請求項２】
塩がクエン酸塩一水塩である、請求項１に記載の方法。
【請求項３】
全身麻酔の投与の前、その間又はその後に化合物を非経口的、経腸的又は経口的に投与する、請求項１又は２に記載の方法。
【請求項４】
化合物を非経口的に投与する、請求項３に記載の方法。
【請求項５】
式Ｉ又はＩａ：
【化２】
2007519701.tif 000002
（式中、Ｒ2はメチル、エチル、イソプロピル、sec−ブチル及びtert−ブチルからなる群から選択される）の化合物、又はその製薬上許容される塩の治療有効量を含む、非ヒト動物の、過度の発声、無目的な動き及び運動失調又はそれらの組合せを減少させることにより麻酔回復の質を改善するための医薬組成物であって、さらに該組成物は製薬上許容されるシクロデキストリン、保存剤（ここで該保存剤はメタクレゾールである）、及び製薬上許容される担体又は希釈剤を含む、組成物。
【請求項６】
前記製薬上許容される塩がクエン酸塩一水塩であり、そしてシクロデキストリンがスルホブチルエーテルβ−シクロデキストリンである、請求項５に記載の組成物。
【請求項７】
非ヒト動物の、過度の発声、無目的な動き及び運動失調又はそれらの組合せを減少させることにより麻酔回復の質を改善するための医薬の製造における、式Ｉ又はＩａ：
【化３】
2007519701.tif 000003
（式中、Ｒ2はメチル、エチル、イソプロピル、sec−ブチル及びtert−ブチルからなる群から選択される）の化合物、又はその製薬上許容される塩の使用。
【請求項８】
製薬上許容される塩がクエン酸塩一水塩である、請求項７に記載の使用。
【手続補正書】
【提出日】平成20年1月25日(2008.1.25)
【手続補正１】
【補正対象書類名】特許請求の範囲
【補正対象項目名】全文
【補正方法】変更
【補正の内容】
【特許請求の範囲】
【請求項１】
被験者において糖尿病を治療するための医薬組成物であって，
少なくとも１つのフェンセリン化合物またはフェンセリン様化合物およびその塩またはエステルと，薬学的に許容しうる希釈剤，担体または賦形剤とを含む医薬組成物。
【請求項２】
フェンセリン化合物が，（−）−Ｎ−フェニルカルバモイルエセロリン，（３ａＳ）−１，３ａ，８−トリメチル−１，２，３，３ａ，８，８ａ−ヘキサヒドロピロロ［２，３−ｂ］インドール−５−イルフェニルカルバメート；（−）−２’−メチルフェニルカルバモイルエセロリン，（−）−２’−４’−ジメチルフェニルカルバモイルエセロリン，（−）−４’メチルフェニルアルバモイルエセロリン，（−）−２’−エチルフェニルカルバモイルエセロリン，（−）−フェニルカルバモイルエセロリン，（−）−（−）−２’，４’，６’−トリメチルフェニルカルバモイルエセロリン，（−）−２’−クロロフェニルカルバモイルエセロリン，（−）−２’，６’−ジクロロフェニルカルバモイルエセロリン，（−）−フィゾベノール，（−）−５−Ｏ−（２’−メチルフェニルカルバモイル）フィゾベノール，（−）−３，３ａ，８，８ａ−テトラヒドロ−３ａ，８−ジメチル−２Ｈ−チエノ−［２，３−ｂ］インドール−５−オールブチルカルバメート，（−）−３，３ａ，８，８ａ−テトラヒドロ−３ａ，８−ジメチル−２Ｈ−チエノ［２，３−ｂ］インドール−５−オールヘプチルカルバメート，（−）−３，３ａ，８，８ａ−テトラヒドロ−３ａ，８−ジメチル−２Ｈ−チエノ［２，３−ｂ］インドール−５−オールフェニルカルバメート，（−）−３，３ａ，８，８ａ−テトラヒドロ−３ａ，８−ジメチル，−２Ｈ−チエノ［２，３−ｂ］インドール−５−オール２’−メチルフェニルカルバメート，（−）−３，３ａ，８，８ａ−テトラヒドロ−３ａ，８−ジメチル−２Ｈ−チエノ［２，３−ｂ］インドール−５−オール２’−イソプロピルフェニルカルバメート，（−）−チアフィゾベニン，（−）−フェニルチアフィゾベニン，および（−）−２’，４’−ジメチルフェニル−チアフィゾベニンからなる群より選択される，請求項１記載の医薬組成物。
【請求項３】
フェンセリン様化合物が，ドネペジル，ガランタミン，リバスチグムおよびタクリンからなる群より選択される，請求項２記載の医薬組成物。
【請求項４】
フェンセリン化合物が，（−）−Ｎ−フェニルカルバモイルエセロリンまたはその塩またはエステルを含む，請求項２記載の医薬組成物。
【請求項５】
糖尿病の治療が，糖尿病に伴う認知障害の開始を遅らせることを含む，請求項１，２，３または４に記載の医薬組成物。
【請求項６】
糖尿病の治療が，妊娠糖尿病を治療することを含む，請求項１−５のいずれかに記載の医薬組成物。
【請求項７】
糖尿病の治療が，糖尿病の予防的治療を含む，請求項１−６のいずれかに記載の医薬組成物。
【請求項８】
糖尿病の治療が脳血管障害の治療を含む，請求項１−７のいずれかに記載の医薬組成物。
【請求項９】
被験者が６０歳以上のヒトである，請求項１−８のいずれかに記載の医薬組成物。
【請求項１０】
食事前に投与するための，請求項１−９のいずれかに記載の医薬組成物。
【請求項１１】
スルホニルウレア，メグリチニド，ビグアニド，チアゾリジンジオン，アルファ−グルコシダーゼ阻害剤およびこれらの混合物からなる群より選択される血糖降下薬をさらに含む，請求項１０記載の医薬組成物。
【請求項１２】
糖尿病の治療が，高血糖症，低血糖症，血糖降下薬に対する応答，糖尿病性ニューロパシー，糖尿病性網膜症，腎臓機能，血管性痴呆，ケトンレベル，高脂血症，および冠状動脈疾病からなる群より選択される少なくとも１つの状態の治療を含む，請求項１−１１のいずれかに記載の医薬組成物。
【請求項１３】
糖尿病の治療がインスリン耐性の治療を含む，請求項１−５，７，および９−１２のいずれかに記載の医薬組成物。
【請求項１４】
アセチルコリンエステラーゼアンタゴニストを含む、糖尿病に伴う合併症を治療するための医薬組成物。
【請求項１５】
アセチルコリンエステラーゼアンタゴニストがフェンセリンである，請求項１４記載の医薬組成物。
【請求項１６】
血管性痴呆の治療に用いるための，請求項１４または１５記載の医薬組成物。
【請求項１７】
糖尿病に伴う認知障害の開始を遅らせるのに用いるための，請求項１４または１５記載の医薬組成物。
【請求項１８】
インスリン耐性の治療に用いるための，請求項１４または１５記載の医薬組成物。